(57)【要約】【目的】  カレンダー機能を備える額縁を壁に掛ける場合において、カレンダーを機能させる際の額縁の薄型化が達成できる構成を提供する。【構成】  月毎に分離したカード形式のカレンダー１を設け、複数月のカレンダー１を収めるポケットを設け、ポケットは額縁２の背面に位置するスタンド３と一体成型で構成し、ポケットはスタンド３の下部に配置し、ホルダー４はスタンド３の上部に配置し、ホルダー４上にカレンダー１を固定する様にし、スタンド３とホルダー４を固定する第１蝶番５を設け、第１蝶番５の動きに沿ってホルダー４を持ち上げてカレンダー１を機能させる様にした額縁２であって、ホルダー４は透明板６及び押さえ板７を構成し、第１蝶番５は第１軸受け側の第１平板８及び、第２軸受け側の第２平板９を構成し、押さえ板７を第２平板９の外側１０に固着すると共に、透明板６を第２平板９の内側１１に固着することでホルダー４がスタンド３に対して平行にセッティングできる様にする。【選択図】図１
2009045405.tif 000002
【特許請求の範囲】
【請求項１】
月毎に分離したカード形式のカレンダー（１）を設け、複数月のカレンダー（１）を収めるポケットを設け、ポケットは額縁（２）の背面に位置するスタンド（３）と一体成型で構成し、ポケットはスタンド（３）の下部に配置し、ホルダー（４）はスタンド（３）の上部に配置し、ホルダー（４）上にカレンダー（１）を固定する様にし、スタンド（３）とホルダー（４）を固定する第１蝶番（５）を設け、第１蝶番（５）の動きに沿ってホルダー（４）を持ち上げてカレンダー（１）を機能させる様にした額縁（２）であって、ホルダー（４）は透明板（６）及び押さえ板（７）を構成し、第１蝶番（５）は第１軸受け側の第１平板（８）及び、第２軸受け側の第２平板（９）を構成し、押さえ板（７）を第２平板（９）の外側（１０）に固着すると共に、透明板（６）を第２平板（９）の内側（１１）に固着することでホルダー（４）がスタンド（３）に対して平行にセッティングできる様にした額縁のカレンダー保持構造。
【発明の詳細な説明】
【技術分野】
【０００１】  本発明はカレンダー機能付き額縁に関するものである。
【背景技術】
【０００２】  月毎に分離したカード形式のカレンダーを設け、複数月のカレンダーを収めるポケットを設け、ポケットは額縁の背面に位置するスタンドと一体成型で構成し、ポケットはスタンドの下部に配置し、ホルダーはスタンドの上部に配置し、ホルダー上にカレンダーを固定する様にし、スタンドとホルダーを固定する第１蝶番を設け、第１蝶番の動きに沿ってホルダーを持ち上げてカレンダーを機能させる様にした額縁がある。
【発明が解決しようとする課題】
【０００３】  従来の額縁は透明板及び押さえ板により構成されるホルダーを第１蝶番における第２平板の外側に固着するものである。本発明はカレンダー機能を備える額縁を壁に掛ける場合において、カレンダーを機能させる際の額縁の薄型化が達成できる構成を提供するものである。
【課題を解決するための手段】
【０００４】  月毎に分離したカード形式のカレンダー１を設け、複数月のカレンダー１を収めるポケットを設け、ポケットは額縁２の背面に位置するスタンド３と一体成型で構成し、ポケットはスタンド３の下部に配置し、ホルダー４はスタンド３の上部に配置し、ホルダー４上にカレンダー１を固定する様にし、スタンド３とホルダー４を固定する第１蝶番５を設け、第１蝶番５の動きに沿ってホルダー４を持ち上げてカレンダー１を機能させる様にした額縁２であって、ホルダー４は透明板６及び押さえ板７を構成し、第１蝶番５は第１軸受け側の第１平板８及び、第２軸受け側の第２平板９を構成し、押さえ板７を第２平板９の外側１０に固着すると共に、透明板６を第２平板９の内側１１に固着することでホルダー４がスタンド３に対して平行にセッティングできる様にする。
【発明を実施するための最良の形態】
【０００５】  図１は額縁２を壁に掛ける際の途中過程の状態を表すものであり、図１に示す様に押さえ板７は第２平板９の外側１０に固着され、又、透明板６は第２平板９の内側１１に固着されることでホルダー４が第１蝶番５に固定されている。つまり、ホルダー４の起立維持に必要な構成である板バネ１２がスタンド３と第１平板８の中間に設置されるが、板バネ１２と同程度の厚みを有する押さえ板７を第２平板９の外側１０に配置すると共に、透明板６を第２平板９の内側１１に配置し、第２平板９を介して押さえ板７及び透明板６を第１ネジ１３締めにより固定するものであり、この構成により第２平板９の外側１０には前記の薄い押さえ板７のみが配置されることで図１に示す様に第１蝶番５は半回転できる程の開放が可能になる。この様にホルダー４がスタンド３に対して平行にセッティングできるため、その後において額縁２とスタンド３を固定する第２蝶番１４の操作によりスタンド３を格納する状況に至っては額縁２、スタンド３及び、ホルダー４が平行に配置されることで、壁に掛ける際にも額縁２を壁に密着させることができる。実際には額縁２を壁に掛ける場合は額縁２を紐で張り固定する手段が図られることで額縁２は水平より下方に若干の傾きが生じるため、従来の構成においても違和感無くカレンダー１を機能させることは可能であるが、本発明の構成により額縁２を壁に直付けする手段においても対応することができると共に、額縁２の薄型化が達成できる。
【実施例】
【０００６】  又、ホルダー４を畳む際において、この格納作業を支障無く履行できる様に透明板６の厚みは第１蝶番５の軸１５の直径寸法と同程度にすることが適切である。なお、図１においては第１ネジ１３を受けるナットの代替として透明板６のネジ受け穴自体にネジ切り工程を行うものであるが、一方、押さえ板７のネジ受け穴自体にネジ切り工程を行うと共に、皿ネジ等を使用してネジ頭を透明板６に埋設する工程により透明板６側から第１ネジ１３締めを行う手段が図られる。
又、図１においては第２平板９と対向するスタンド３面を額縁２寄りに折り曲げ加工を行う工程により極薄の板バネ１２を採用する場合においても押さえ板７が第２平板９の外側１０に配置できる様にしている。その他の極薄の板バネ１２使用の対応例としては第２平板９と対向するスタンド３面を削ぐ工程により押さえ板７の配置スペースを確保する、或いは、第１ネジ１３のネジ頭を削除した部位を極薄の押さえ板７の裏側に溶着し、この押さえ板７を第２平板９を介して透明板６側からナット締めにより固定する手段の他、強固な透明板６を造作して透明板６の上端に押さえ板７を固着する手段が図られる。
又、ホルダー４を畳む際において、この格納作業を支障無く履行できる様に第１蝶番５及び第２蝶番１４を固定する第２ネジ１６締めは第１蝶番５側から行い、第２平板９の内側１１に配置される透明板６の存在により格納の不具合が生じない様にすることが適切である。
なお、図１に示す１７はホルダー４の起立維持の構成であるパッドである。
又、図２においては額縁２の陰に在るスタンド３や第１蝶番５及び、額縁２の陰に覆われる透明板６や押さえ板７の部位を点線で表すものであり、又、構成を明瞭に示すためにカレンダー１及び第２蝶番１４の表記を行っていない。
ホルダー４の使用に際しては透明板６に対して手前に若干の傾斜を維持してカレンダー１を立て掛け、透明板６と押さえ板７の間に生じる隙間にガイドを担う第２平板９に至る位置までカレンダー１を挿入し、その後においてカレンダー１を透明板６の左右両端に設けるガイド１８に沿って押し込む様にする。なお、カレンダー１の横の寸法はカレンダー１の左右側面がガイド１８に圧着できる程度にしてカレンダー１がホルダー４に安定的に固定される様にする。
又、ガイド１８は溝を備える、断面がアングル形状の様なレール類を採用し、カレンダー１を透明板６の上端からスライドさせて着脱する手段も適切である。なお、この場合のカレンダー１の横の寸法はガイド１８間の寸法に至らない程度にしてカレンダー１のスライドが円滑に行える様にするが、ガイド１８の溝の効用に併せて、従来の押さえ板７の効用及び、ガイドを担う第２平板９への圧着によりカレンダー１がホルダー４に安定的に固定されることになる。
又、カレンダー１の横の寸法が１つの第１蝶番５の長さを過度に上回る場合は図２に示す様に小規模の第１蝶番５を２連にし、２連の第２平板９を介して押さえ板７及び透明板６を第１ネジ１３締めにより固定する手段が図られる。
又、透明板６の上端に切れ込み１９を設け、切れ込み１９範囲内のカレンダー１の部位に指を支持させて透明板６への着脱が円滑に行える様にする。
【発明の効果】
【０００７】  本発明の構成により、第２蝶番１４の操作によりスタンド３を格納して壁に掛ける際に事前にホルダー４がスタンド３に対して平行にセッティングできていることでカレンダー１を機能させる際の額縁の薄型化が達成できる。
【図面の簡単な説明】
【図１】  ホルダー４周辺を示す側面図
【図２】  ホルダー４周辺を示す正面図
【符号の説明】
１  カレンダー              ２  額縁                  ３  スタンド
４  ホルダー                ５  第１蝶番              ６  透明板
７  押さえ板                ８  第１平板              ９  第２平板
１０  外側                  １１  内側                １２  板バネ
１３  第１ネジ              １４  第２蝶番            １５  軸
１６  第２ネジ              １７  パッド              １８  ガイド
１９  切れ込み
【図１】
2009045405.tif 000003
【図２】
2009045405.tif 000004